(57)【要約】【課題】インクユニットに設けられた、情報を記憶可能な素子に対し、不都合なく通信できる、印刷装置、インクユニット、情報を記憶可能な素子、及び、コンピュータシステムを実現する。【解決手段】情報を記憶可能な素子を備えた複数のインクユニットと、複数のインクユニットが配列されたインクユニット支持部材と、素子に記憶された情報を非接触にて読み取る読み取り部材とを有する印刷装置において、各インクユニットについて、読み取り部材がインクユニットに備えられた素子に記憶されたＩＤ情報を読み取り、インクユニットのインクユニット支持部材における配列順番と、インクユニットに備えられた素子に記憶されたＩＤ情報との関係を特定することを特徴とする。【選択図】図７
2006205743.tif 000002
【特許請求の範囲】
【請求項１】
情報を記憶可能な素子を備えた複数のインクユニットと、前記複数のインクユニットが配列されたインクユニット支持部材と、前記素子に記憶された情報を非接触にて読み取る読み取り部材とを有する印刷装置において、
前記各インクユニットについて、前記読み取り部材が該インクユニットに備えられた素子に記憶されたＩＤ情報を読み取り、該インクユニットの前記インクユニット支持部材における配列順番と、該インクユニットに備えられた前記素子に記憶されたＩＤ情報との関係を特定することを特徴とする印刷装置。
【請求項２】
請求項１に記載の印刷装置において、
前記ＩＤ情報は、前記素子が前記インクユニットに取り付けられる前に、該素子に記憶させられた該素子固有の情報であることを特徴とする印刷装置。
【請求項３】
請求項１又は請求項２に記載の印刷装置において、
前記インクユニットは、前記インクユニット支持部材に対して着脱自在であることを特徴とする印刷装置。
【請求項４】
請求項１乃至請求項３に記載の印刷装置において、
前記インクユニット支持部材は移動可能であって、
前記読み取り部材が前記移動方向先頭に配置されたインクユニットに備えられた素子に記憶された情報のみを読み取ることのできる位置に、前記インクユニット支持部材を移動させて、該読み取り部材が該素子に記憶されたＩＤ情報を読み取った後に、
ＩＤ情報の読み取りを終えた素子に記憶された情報、及び、該素子に隣接し未だＩＤ情報の読み取りを終えていない素子に記憶された情報、のみを前記読み取り部材が読み取ることのできる位置に、前記インクユニット支持部材を順次移動させて、
前記読み取り部材が、未だＩＤ情報の読み取りを終えていない素子に記憶されたＩＤ情報を読み取ることを特徴とする印刷装置。
【請求項５】
請求項１乃至請求項４のいずれかに記載の印刷装置において、
前記インクユニット支持部材に配列されたインクユニットすべてについて、該インクユニット支持部材における配列順番と、該インクユニットに備えられた前記素子に記憶されたＩＤ情報との関係を特定した後に、
前記ＩＤ情報によって各素子を識別しつつ、前記読み取り部材が、前記インクユニット支持部材に配列されたインクユニットに備えられた各素子に記憶されたＩＤ情報以外の情報を読み取ることを特徴とする印刷装置。
【請求項６】
請求項１乃至請求項５のいずれかに記載の印刷装置において、
前記インクユニット支持部材は移動可能であって、
前記読み取り部材が複数の素子から情報を読み取ることのできる位置に、前記インクユニット支持部材を移動させて、
前記ＩＤ情報によって各素子を識別しつつ、前記読み取り部材が、各素子に記憶されたＩＤ情報以外の情報を読み取ることを特徴とする印刷装置。
【請求項７】
請求項６に記載の印刷装置において、
前記読み取り部材が、前記インクユニット支持部材での配列順番における、奇数番目とこれに隣接する偶数番目のインクユニットに備えられた素子から情報を読み取ることのできる位置に、前記インクユニット支持部材を順次移動させて、
前記ＩＤ情報によって各素子を識別しつつ、前記読み取り部材が、各素子に記憶されたＩＤ情報以外の情報を読み取ることを特徴とする印刷装置。
【請求項８】
情報を記憶可能な素子を備え、インクユニット支持部材に複数配列され、印刷装置本体に設けられた読み取り部材により、該素子に記憶された情報を非接触にて読み取られるインクユニットにおいて、
前記インクユニットに備えられた素子に記憶されたＩＤ情報が、前記読み取り部材によって読み取られ、該インクユニットの前記インクユニット支持部材における配列順番と、該インクユニットに備えられた前記素子に記憶されたＩＤ情報との関係が前記印刷装置によって特定されることを特徴とするインクユニット。
【請求項９】
請求項８に記載のインクユニットにおいて、
前記ＩＤ情報は、前記素子が前記インクユニットに取り付けられる前に、該素子に記憶させられた該素子固有の情報であることを特徴とするインクユニット。
【請求項１０】
請求項８又は請求項９に記載のインクユニットにおいて、
前記インクユニットは、前記インクユニット支持部材に対して着脱自在であることを特徴とするインクユニット。
【請求項１１】
情報を記憶可能であって、インクユニットに備えられて、該インクユニットとともにインクユニット支持部材に複数配列され、印刷装置本体に設けられた読み取り部材により、記憶された情報を非接触にて読み取られる素子において、
前記素子に記憶されたＩＤ情報が、前記読み取り部材によって読み取られ、前記インクユニットの前記インクユニット支持部材における配列順番と、前記素子に記憶されたＩＤ情報との関係が前記印刷装置によって特定されることを特徴とする素子。
【請求項１２】
請求項１１に記載の素子において、
前記ＩＤ情報は、前記素子が前記インクユニットに取り付けられる前に、該素子に記憶させられる該素子固有の情報であることを特徴とする素子。
【請求項１３】
コンピュータ本体、このコンピュータ本体に接続される表示装置、及び、前記コンピュータ本体に接続される印刷装置であって、情報を記憶可能な素子を備えた複数のインクユニットと、前記複数のインクユニットが配列されたインクユニット支持部材と、前記素子に記憶された情報を非接触にて読み取る読み取り部材とを有し、前記各インクユニットについて、前記読み取り部材が該インクユニットに備えられた素子に記憶されたＩＤ情報を読み取り、該インクユニットの前記インクユニット支持部材における配列順番と、該インクユニットに備えられた前記素子に記憶されたＩＤ情報との関係を特定する印刷装置、を具備することを特徴とするコンピュータシステム。
【請求項１４】
情報を記憶可能な素子を備えた複数のインクユニットと、前記複数のインクユニットが配列されたインクユニット支持部材と、前記素子に記憶された情報を非接触にて読み取る読み取り部材とを有する印刷装置において、
前記各インクユニットについて、前記読み取り部材が該インクユニットに備えられた素子に記憶されたＩＤ情報を読み取り、該インクユニットの前記インクユニット支持部材における配列順番と、該インクユニットに備えられた前記素子に記憶されたＩＤ情報との関係を特定する印刷装置であり、
前記ＩＤ情報は、前記素子が前記インクユニットに取り付けられる前に、該素子に記憶させられた該素子固有の情報であり、
前記インクユニットは、前記インクユニット支持部材に対して着脱自在であり、
前記インクユニット支持部材は移動可能であって、前記読み取り部材が前記移動方向先頭に配置されたインクユニットに備えられた素子に記憶された情報のみを読み取ることのできる位置に、前記インクユニット支持部材を移動させて、該読み取り部材が該素子に記憶されたＩＤ情報を読み取った後に、ＩＤ情報の読み取りを終えた素子に記憶された情報、及び、該素子に隣接し未だＩＤ情報の読み取りを終えていない素子に記憶された情報、のみを前記読み取り部材が読み取ることのできる位置に、前記インクユニット支持部材を順次移動させて、前記読み取り部材が、未だＩＤ情報の読み取りを終えていない素子に記憶されたＩＤ情報を読み取り、
前記インクユニット支持部材に配列されたインクユニットすべてについて、該インクユニット支持部材における配列順番と、該インクユニットに備えられた前記素子に記憶されたＩＤ情報との関係を特定した後に、
前記読み取り部材が、前記インクユニット支持部材での配列順番における、奇数番目とこれに隣接する偶数番目のインクユニットに備えられた素子から情報を読み取ることのできる位置に、前記インクユニット支持部材を順次移動させて、
前記ＩＤ情報によって各素子を識別しつつ、前記読み取り部材が、各素子に記憶されたＩＤ情報以外の情報を読み取ることを特徴とする印刷装置。
【請求項１５】
情報を記憶可能な素子を備えた複数のインクユニットと、前記複数のインクユニットが配列された移動可能なインクユニット支持部材と、前記素子に記憶された情報を非接触にて読み取る読み取り部材とを有する印刷装置において、
前記インクユニット支持部材は、前記読み取り部材が複数のインクユニットに備えられた素子に記憶された情報をそれぞれ読み取ることのできる位置に移動し、該位置にて該読み取り部材が該情報をそれぞれ読み取ることを特徴とする印刷装置。
【発明の詳細な説明】
【技術分野】
【０００１】
本発明は、印刷装置、インクユニット、情報を記憶可能な素子、及び、コンピュータシステムに関する。
【背景技術】
【０００２】
インクジェットプリンタ用のインクユニット（インクカートリッジ）は、開封後、例えば６ヶ月ぐらいの期間が過ぎると使用環境によってはインクの品質が劣化する。その結果、高い印刷品質を実現できなくなったり、プリンタの印字ヘッドに悪影響を与えたりすることがある。この対策技術として、例えば、インクユニットにＥＥＰＲＯＭなどのメモリを設け、このメモリにインクの有効期限を特定するための情報を保持させておくことが考えられる。プリンタ本体側に設けられた送受信部から、接点端子を介して、このメモリに通信し、インクの有効期限に関する情報の読み取りなどを行う。また、有効期限に関する情報以外にも、各インクユニットのインク残量に関する情報などを保持させておくよい。
【０００３】
また、上記ＥＥＰＲＯＭなどの接触式メモリに代えて、非接触式の記憶素子を設け、プリンタ本体側に設けられた読み取り／書き込みセンサによって無線通信を行う構成も考えられる。非接触式の記憶素子には、アクセス可能距離の違いによって、密接型、近接型などのタイプがあるが、いずれも所定の距離内であれば無線通信が可能である。このような、非接触式の記憶素子を用いた場合では、読み取り／書き込みを行うためのインクユニット停止位置が多少ばらつくような場合であっても通信が可能なので、インクユニット停止位置の位置決めを必要以上に厳密に行わなくて済む。
【発明の開示】
【発明が解決しようとする課題】
【０００４】
しかしながら、このように非接触式の記憶素子を用いて無線通信を行う場合は、その通信範囲の広さゆえに、所望の素子とは異なる素子の情報を誤って読み取ってしまうことがある。例えば、カラーインクジェットプリンタの場合は、色ごとに異なる複数のインクユニットが互いに短いピッチでキャリッジ（インクユニット支持部材）内に配列されているので、所望のインクユニットの素子ではなく、誤って隣接するインクユニットの素子に通信してしまうことがある。
【０００５】
本発明は、かかる課題に鑑みてなされたものであり、その目的とするところは、インクユニットに設けられた、情報を記憶可能な素子に対し、不都合なく通信できる、印刷装置、インクユニット、情報を記憶可能な素子、及び、コンピュータシステムを実現することにある。
【課題を解決するための手段】
【０００６】
前記課題を解決するために、主たる本発明は、情報を記憶可能な素子を備えた複数のインクユニットと、前記複数のインクユニットが配列されたインクユニット支持部材と、前記素子に記憶された情報を非接触にて読み取る読み取り部材とを有する印刷装置において、前記各インクユニットについて、前記読み取り部材が該インクユニットに備えられた素子に記憶されたＩＤ情報を読み取り、該インクユニットの前記インクユニット支持部材における配列順番と、該インクユニットに備えられた前記素子に記憶されたＩＤ情報との関係を特定することを特徴とする印刷装置であることを特徴とする。
【０００７】
本発明の他の特徴については、添付図面及び本明細書の記載により明らかにする。
【発明を実施するための最良の形態】
【０００８】
＝＝＝開示の概要＝＝＝
以下の開示により、少なくとも次のことが明らかにされる。
【０００９】
情報を記憶可能な素子を備えた複数のインクユニットと、前記複数のインクユニットが配列されたインクユニット支持部材と、前記素子に記憶された情報を非接触にて読み取る読み取り部材とを有する印刷装置において、前記各インクユニットについて、前記読み取り部材が該インクユニットに備えられた素子に記憶されたＩＤ情報を読み取り、該インクユニットの前記インクユニット支持部材における配列順番と、該インクユニットに備えられた前記素子に記憶されたＩＤ情報との関係を特定することを特徴とする印刷装置。
【００１０】
情報を記憶可能な素子を備えた複数のインクユニットと、前記複数のインクユニットが配列されたインクユニット支持部材と、前記素子に記憶された情報を非接触にて読み取る読み取り部材とを有する印刷装置においては、読み取り部材が非接触にて情報を読み取るために、所望の素子とは異なる素子の情報を誤って読み取るおそれがある。
【００１１】
そこで、本発明では、前記各インクユニットについて、前記読み取り部材が該インクユニットに備えられた素子に記憶されたＩＤ情報を読み取ることによって、該インクユニットの前記インクユニット支持部材における配列順番と、該インクユニットに備えられた前記素子に記憶されたＩＤ情報との関係を特定することとした。
【００１２】
かかる印刷装置によれば、インクユニットの前記インクユニット支持部材における配列順番と、該インクユニットに備えられた前記素子に記憶されたＩＤ情報との関係が特定され、印刷装置本体のメモリなどに記憶されるので、特定の配列順番のインクユニットに備えられた素子に記憶された情報を読み取る際に、該素子に記憶されたＩＤ情報を用いて照合することによって、他の素子の情報を誤って読み取ってしまうことを防止できる。
【００１３】
また、前記ＩＤ情報は、前記素子が前記インクユニットに取り付けられる前に、該素子に記憶させられた該素子固有の情報であることとしてもよい。
【００１４】
かかる印刷装置によれば、前記ＩＤ情報は、前記素子が前記インクユニットに取り付けられる前に該素子に記憶させられた、該素子ごとに異なる固有の情報であるから、インクユニット支持部材に配列された個々のインクユニットに備えられた素子を確実に識別することが可能となる。
【００１５】
また、前記インクユニットは、前記インクユニット支持部材に対して着脱自在であることとしてもよい。
【００１６】
このような、前記インクユニットが、前記インクユニット支持部材に対して着脱自在な構成の印刷装置においては、インクユニット支持部材に装着されたインクユニットの配列がユーザによって変更される場合がありうる。そのような場合であっても、まず、該インクユニットに備えられた素子に記憶されたＩＤ情報を読み取り、該インクユニットの前記インクユニット支持部材における配列順番と、該インクユニットに備えられた前記素子に記憶されたＩＤ情報との関係を特定することによって、特定の配列順番のインクユニットに備えられた素子に記憶された情報を読み取る際に、他の素子の情報を誤って読み取ってしまうことを防止できる。
【００１７】
また、前記インクユニット支持部材は移動可能であって、前記読み取り部材が前記移動方向先頭に配置されたインクユニットに備えられた素子に記憶された情報のみを読み取ることのできる位置に、前記インクユニット支持部材を移動させて、該読み取り部材が該素子に記憶されたＩＤ情報を読み取った後に、ＩＤ情報の読み取りを終えた素子に記憶された情報、及び、該素子に隣接し未だＩＤ情報の読み取りを終えていない素子に記憶された情報、のみを前記読み取り部材が読み取ることのできる位置に、前記インクユニット支持部材を順次移動させて、前記読み取り部材が、未だＩＤ情報の読み取りを終えていない素子に記憶されたＩＤ情報を読み取ることを特徴とする印刷装置としてもよい。
【００１８】
かかる印刷装置によれば、前記インクユニット支持部材に配列されたインクユニットに備えられた素子のＩＤ情報を、先頭から順に全て確実に読み取ることができ、かつ、ある素子のＩＤ情報を読み取るときには、その素子と、既にＩＤ情報を読み取った素子のみを読み取れる位置にて読み取るので、所望の素子以外にＩＤ情報未知の素子を読み取ってしまうことがないから、すべての素子を確実に読み取ることができる。
【００１９】
また、前記インクユニット支持部材に配列されたインクユニットすべてについて、該インクユニット支持部材における配列順番と、該インクユニットに備えられた前記素子に記憶されたＩＤ情報との関係を特定した後に、前記ＩＤ情報によって各素子を識別しつつ、前記読み取り部材が、前記インクユニット支持部材に配列されたインクユニットに備えられた各素子に記憶されたＩＤ情報以外の情報を読み取ることとしてもよい。
【００２０】
かかる印刷装置によれば、前記インクユニット支持部材に配列されたインクユニットすべてについて、該インクユニット支持部材における配列順番と、該インクユニットに備えられた前記素子に記憶されたＩＤ情報との関係を特定した後に、前記読み取り部材が各インクユニットに備えられた素子に記憶された、前記ＩＤ情報以外の情報を読み取るから、特定の配列順番のインクユニットに備えられた素子に記憶された、前記ＩＤ情報以外の情報を、前記ＩＤ情報を用いて照合しつつ読み取る際には、他の素子の情報を誤って読み取ってしまうことがない。
【００２１】
また、前記インクユニット支持部材は移動可能であって、前記読み取り部材が複数の素子から情報を読み取ることのできる位置に、前記インクユニット支持部材を移動させて、前記ＩＤ情報によって各素子を識別しつつ、前記読み取り部材が、各素子に記憶されたＩＤ情報以外の情報を読み取ることとしてもよい。
【００２２】
かかる印刷装置によれば、前記読み取り部材が複数の素子から情報を読み取ることのできる位置に、前記インクユニット支持部材を移動させて、前記ＩＤ情報によって各素子を識別しつつ、前記読み取り部材が各素子に記憶されたＩＤ情報以外の情報を読み取るから、ＩＤ情報以外の情報を読み取るためのインクユニット支持部材の移動回数が減って、トータルの読み取り時間を短縮することができる。
【００２３】
また、前記読み取り部材が、前記インクユニット支持部材での配列順番における、奇数番目とこれに隣接する偶数番目のインクユニットに備えられた素子から情報を読み取ることのできる位置に、前記インクユニット支持部材を順次移動させて、前記ＩＤ情報によって各素子を識別しつつ、前記読み取り部材が、各素子に記憶されたＩＤ情報以外の情報を読み取ることとしてもよい。
【００２４】
かかる印刷装置によれば、前記インクユニット支持部材での配列順番における、奇数番目とこれに隣接する偶数番目のインクユニットに備えられた素子から前記読み取り部材が情報を読み取ることのできる位置に、前記インクユニット支持部材を順次移動させて、前記ＩＤ情報によって各素子を識別しつつ、前記読み取り部材が各素子に記憶されたＩＤ情報以外の情報を読み取るから、ＩＤ情報以外の情報を読み取るためのインクユニット支持部材の移動回数が減って、トータルの読み取り時間を短縮することができる。
【００２５】
また、情報を記憶可能な素子を備え、インクユニット支持部材に複数配列され、印刷装置本体に設けられた読み取り部材により、該素子に記憶された情報を非接触にて読み取られるインクユニットにおいて、前記インクユニットに備えられた素子に記憶されたＩＤ情報が、前記読み取り部材によって読み取られ、該インクユニットの前記インクユニット支持部材における配列順番と、該インクユニットに備えられた前記素子に記憶されたＩＤ情報との関係が前記印刷装置によって特定されることを特徴とするインクユニットも実現可能である。
【００２６】
また、前記ＩＤ情報は、前記素子が前記インクユニットに取り付けられる前に、該素子に記憶させられた該素子固有の情報であることを特徴とするインクユニットも実現可能である。
【００２７】
また、前記インクユニットは、前記インクユニット支持部材に対して着脱自在であることを特徴とするインクユニットも実現可能である。
【００２８】
また、前記インクユニット支持部材における配列順番と、前記インクユニットに備えられた前記素子に記憶されたＩＤ情報との関係が印刷装置によって特定された後に、前記インクユニットに備えられた前記素子に記憶されたＩＤ情報以外の情報が、前記ＩＤ情報によって該素子が識別されつつ、前記読み取り部材によって読み取られることを特徴とするインクユニットも実現可能である。
【００２９】
また、情報を記憶可能であって、インクユニットに備えられて、該インクユニットとともにインクユニット支持部材に複数配列され、印刷装置本体に設けられた読み取り部材により、記憶された情報を非接触にて読み取られる素子において、前記素子に記憶されたＩＤ情報が、前記読み取り部材によって読み取られ、前記インクユニットの前記インクユニット支持部材における配列順番と、前記素子に記憶されたＩＤ情報との関係が前記印刷装置によって特定されることを特徴とする素子も実現可能である。
【００３０】
また、前記ＩＤ情報は、前記素子が前記インクユニットに取り付けられる前に、該素子に記憶させられる該素子固有の情報であることを特徴とする素子も実現可能である。
【００３１】
また、前記素子が備えられるインクユニットは、前記インクユニット支持部材に対して着脱自在であることを特徴とする素子も実現可能である。
【００３２】
また、前記インクユニット支持部材における配列順番と、前記素子に記憶されたＩＤ情報との関係が印刷装置によって特定された後に、前記素子に記憶されたＩＤ情報以外の情報が、前記ＩＤ情報によって該素子が識別されつつ、前記読み取り部材によって読み取られることを特徴とする素子も実現可能である。
【００３３】
また、コンピュータ本体、このコンピュータ本体に接続される表示装置、及び、前記コンピュータ本体に接続される印刷装置であって、情報を記憶可能な素子を備えた複数のインクユニットと、前記複数のインクユニットが配列されたインクユニット支持部材と、前記素子に記憶された情報を非接触にて読み取る読み取り部材とを有し、前記各インクユニットについて、前記読み取り部材が該インクユニットに備えられた素子に記憶されたＩＤ情報を読み取り、該インクユニットの前記インクユニット支持部材における配列順番と、該インクユニットに備えられた前記素子に記憶されたＩＤ情報との関係を特定する印刷装置、を具備することを特徴とするコンピュータシステムも実現可能である。
【００３４】
また、情報を記憶可能な素子を備えた複数のインクユニットと、前記複数のインクユニットが配列されたインクユニット支持部材と、前記素子に記憶された情報を非接触にて読み取る読み取り部材とを有する印刷装置において、前記各インクユニットについて、前記読み取り部材が該インクユニットに備えられた素子に記憶されたＩＤ情報を読み取り、該インクユニットの前記インクユニット支持部材における配列順番と、該インクユニットに備えられた前記素子に記憶されたＩＤ情報との関係を特定する印刷装置であり、前記ＩＤ情報は、前記素子が前記インクユニットに取り付けられる前に、該素子に記憶させられた該素子固有の情報であり、前記インクユニットは、前記インクユニット支持部材に対して着脱自在であり、前記インクユニット支持部材は移動可能であって、前記読み取り部材が前記移動方向先頭に配置されたインクユニットに備えられた素子に記憶された情報のみを読み取ることのできる位置に、前記インクユニット支持部材を移動させて、該読み取り部材が該素子に記憶されたＩＤ情報を読み取った後に、ＩＤ情報の読み取りを終えた素子に記憶された情報、及び、該素子に隣接し未だＩＤ情報の読み取りを終えていない素子に記憶された情報、のみを前記読み取り部材が読み取ることのできる位置に、前記インクユニット支持部材を順次移動させて、前記読み取り部材が、未だＩＤ情報の読み取りを終えていない素子に記憶されたＩＤ情報を読み取り、前記インクユニット支持部材に配列されたインクユニットすべてについて、該インクユニット支持部材における配列順番と、該インクユニットに備えられた前記素子に記憶されたＩＤ情報との関係を特定した後に、前記読み取り部材が、前記インクユニット支持部材での配列順番における、奇数番目とこれに隣接する偶数番目のインクユニットに備えられた素子から情報を読み取ることのできる位置に、前記インクユニット支持部材を順次移動させて、前記ＩＤ情報によって各素子を識別しつつ、前記読み取り部材が、各素子に記憶されたＩＤ情報以外の情報を読み取ることを特徴とする印刷装置としてもよい。
【００３５】
かかる印刷装置によれば、特定の配列順番のインクユニットに備えられた素子に記憶された情報を読み取る際に、該素子に記憶されたＩＤ情報を用いて照合することによって、他の素子の情報を誤って読み取ってしまうことを防止できる。また、その際に、前記ＩＤ情報は、前記素子が前記インクユニットに取り付けられる前に該素子に記憶させられた、該素子ごとに異なる固有の情報であるから、インクユニット支持部材に配列された個々のインクユニットに備えられた素子を確実に識別することが可能となる。また、その際に、インクユニット支持部材に装着された着脱自在なインクユニットの配列がユーザによって変更される場合がありうるが、そのような場合であっても、特定の配列順番のインクユニットに備えられた素子に記憶された情報を読み取る際に、他の素子の情報を誤って読み取ってしまうことを防止できる。また、その際に、前記インクユニット支持部材に配列されたインクユニットに備えられた素子のＩＤ情報を、先頭から順に全て確実に読み取ることができ、かつ、ある素子のＩＤ情報を読み取るときには、その素子と、既にＩＤ情報を読み取った素子のみを読み取れる位置にて読み取るので、所望の素子以外にＩＤ情報未知の素子を読み取ってしまうことがないから、すべての素子を確実に読み取ることができる。また、その際に、前記インクユニット支持部材での配列順番における、奇数番目とこれに隣接する偶数番目のインクユニットに備えられた素子から前記読み取り部材が情報を読み取ることのできる位置に、前記インクユニット支持部材を順次移動させて、前記ＩＤ情報によって各素子を識別しつつ、前記読み取り部材が各素子に記憶されたＩＤ情報以外の情報を読み取るから、ＩＤ情報以外の情報を読み取るためのインクユニット支持部材の移動回数が減って、トータルの読み取り時間を短縮することができる。
【００３６】
また、情報を記憶可能な素子を備えた複数のインクユニットと、前記複数のインクユニットが配列された移動可能なインクユニット支持部材と、前記素子に記憶された情報を非接触にて読み取る読み取り部材とを有する印刷装置において、前記インクユニット支持部材は、前記読み取り部材が複数のインクユニットに備えられた素子に記憶された情報をそれぞれ読み取ることのできる位置に移動し、該位置にて該読み取り部材が該情報をそれぞれ読み取ることを特徴とする印刷装置。
【００３７】
かかる印刷装置によれば、前記読み取り部材が複数の素子から情報を読み取ることのできる位置に、前記インクユニット支持部材を移動させて、前記読み取り部材が各素子に記憶されたＩＤ情報やＩＤ情報以外の情報を読み取るから、ＩＤ情報以外の情報を読み取るためのインクユニット支持部材の移動回数が減って、トータルの読み取り時間を短縮することができる。
【００３８】
＝＝＝インクジェットプリンタの概略＝＝＝
次に、本発明の主な適用対象である印刷装置としてのインクジェットプリンタの概略について説明する。図１は、インクジェットプリンタの概略的な外観を示した図である。
【００３９】
ここでは、カラーインクジェットプリンタを示した。このカラープリンタ１０は、カラー画像の出力が可能なインクジェットプリンタであり、シアン（Ｃ）、マゼンタ（Ｍ）、イエロ（Ｙ）、ブラック（Ｋ）の標準的な４色の色インクに加え、ライトシアン（薄いシアン、ＬＣ）、ライトマゼンタ（薄いマゼンタ、ＬＭ）の合計６色をカット紙などの被印刷体上に吐出して、ドットを形成することによって画像を形成するインクジェット方式のプリンタである。なお、標準の４色インクセットなど６色以外のインクセットを用いる構成としてもよい。
【００４０】
図１に示すように、カラープリンタ１０は、背面側上方から供給されたカット紙等の被印刷体を前面から排出するような給紙構造を備えている。プリンタ本体１０の前面には操作パネル１１、排紙部１２が備えられ、背面には給紙部１３が備えられている。操作パネル１１には、各種操作ボタン１１１、表示ランプ１１２が設けられている。排紙部１２は、不使用時に排紙口を塞ぐ排紙トレイ１２１が備えられている。給紙部１３には、カット紙（図示しない）を保持する給紙トレイ１３１が備えられている。なお、プリンタ１０は、カット紙など単票の被印刷体のみならず、ロール紙などの連続した被印刷体にも印刷できる給紙構造を備えていてもよい。
【００４１】
＝＝＝キャリッジ及びその周辺の構成＝＝＝
次にカラープリンタ１０内部に設けられた、インクユニット支持部材としてのキャリッジ２０及びその周辺の構成について説明する。図２は、そのキャリッジ２０周辺の構成を示した斜視図である。キャリッジ２０は、駆動ベルト２１によりプーリ２２を介してキャリッジモータ２３に接続され、摺動軸２４に案内されてプラテン２５に平行に移動するように駆動される。
【００４２】
キャリッジ２０には、ブラックインクを収容したインクユニット（インクカートリッジ）ＩＮＣ１、及び５色のカラーインクを収容した５つのインクユニットＩＮＣ２〜６が取り付けられている。キャリッジ２０の印刷紙に対向する面には、ブラックインクを吐出するノズルを有する印字ヘッドＩＨ１、及び５色のカラーインクをそれぞれ吐出するノズル列を有する印字ヘッドＩＨ２〜ＩＨ６が設けられ、各ノズルはそれぞれインクユニットＩＮＣ１〜６からインクの供給を受けて印刷紙にインク滴を吐出し、文字や画像を印刷する。
【００４３】
また、キャリッジ２０の右側非印字領域には、非印字時にヘッドＩＨ１〜ＩＨ６のノズル開口を封止するためのキャッピング装置２６と、図示しないポンプモータを有するポンプユニット２７とが設けられている。キャリッジ２０が印字領域から右側非印字領域に移動すると、図示しないレバーにキャリッジ２０が当接して、キャッピング装置２６が上方に移動し、ヘッドＩＨ１〜ＩＨ６を封止する。
【００４４】
ヘッドＩＨ１〜ＩＨ６のノズル開口列に目詰まりが生じた場合や、インクユニットＩＮＣ１、ＩＮＣ２の交換等を行った際に、ヘッドＩＨ１〜ＩＨ６から強制的にインクを吐出又は排出する場合は、ヘッドＩＨ１〜ＩＨ６をキャップ２６１、２６２により、封止した状態でポンプユニット２７を作動させ、ポンプユニット２７からの負圧により、ノズル開口列からインクを吸い出す。これにより、ノズル開口列の近傍に付着している塵埃や紙粉が洗浄され、さらにはヘッドＩＨ１〜ＩＨ６内の気泡がインクとともにキャップ２６１、２６２に排出される。
【００４５】
各インクユニットＩＮＣ１〜６の手前側（排紙方向側）の面には情報を記憶可能な素子３１１〜３１６が１つずつ設けられ、また、図２には図示されていないが、キャリッジ２０の左側非印字領域の適宜な箇所に、各記憶素子と対向するように、読み取り部材としての送受信部が設けられる。
【００４６】
図３（ａ）、（ｂ）は、キャリッジ２０と各インクユニットＩＮＣ１〜６、各インクユニットに設けられた記憶素子３１１〜３１６、及び印刷装置本体としてのプリンタ１０本体（プリンタ１０のインクユニットＩＮＣ１〜６を除く部分）側に設けられる送受信部３０の位置関係を分かりやすく示した模式図である。図３（ａ）は、図２における手前側から見た斜視図、図３（ｂ）は、真上から見た平面図である。
【００４７】
キャリッジ２０に収容されている各インクユニットＩＮＣ１〜６は、着脱自在であり、ユーザによって、インクが消費された場合、有効期限が過ぎた場合、あるいは、他の色に変更する場合等に、適宜交換がなされる。
【００４８】
図３（ｂ）から分かるように、本実施形態の送受信部３０は、インクユニット（及びその上に設けられた記憶素子）の記憶素子配設面のほぼ２つ分に対向する大きさである。送受信部３０は、手前側から向かって左端、すなわち記憶素子３１１から右端の記憶素子３１６に向かって、順次ＩＤ情報の読み取りや書き込み動作を行う。読み取り／書き込み動作の詳細については後述する。
【００４９】
＝＝＝記憶素子と送受信部の構成＝＝＝
次に、図４を参照して記憶素子３１１と送受信部３０の構成について説明する。図４（ａ）は、記憶素子３１１の構成を示す平面透視図である。記憶素子３１１は、送受信部３０とのデータ送受信可能距離が１０ｍｍ程度である、近接型の非接触式記憶素子である。全体としてごく小型かつ薄型で、片面に粘着性を持たせてシールとして対象物に貼着させることもできる。メモリタグなどと呼ばれ、多種市販されているものである。なお、記憶素子３１１以外の記憶素子も全く同様の構成であるので説明は省略する。
【００５０】
記憶素子３１１は、非接触ＩＣチップ３１１１と、金属皮膜をエッチングして形成された共振用コンデンサ３１１２及び平面状コイル３１１３とがプラスチックフィルム上に実装され、透明なカバーシートにより被覆されている。一方、平面図などは示さないが、送受信部３０は、記憶素子３１１と同様のコイルアンテナ３０１と、送受信回路３０２とから構成され、電力の供給はプリンタ本体１０の電源ユニットから受ける。
【００５１】
図４（ｂ）は記憶素子３１１及び送受信部３０の内部構成を示すブロック図である。送受信部３０は、アンテナコイル３０１と、後述するプリンタ本体制御回路の周辺機器入出力部（ＰＩＯ）５４に接続される送受信回路３０２とから構成されている。記憶素子３１１のＩＣチップ３１１１は、整流器３１１４、信号解析部ＲＦ（Ｒａｄｉｏ  Ｆｒｅｑｕｅｎｃｙ）３１１５、制御部３１１６、メモリセル３１１７から構成されている。メモリセル３１１７は、ＮＡＮＤ型フラッシュＲＯＭなど電気的に読み書き可能なメモリである。
【００５２】
記憶素子３１１のアンテナ３１１３と送受信部３０のアンテナ３０１とは、互いに通信し合い、メモリセル３１１７に保存されたＩＤ情報などの読み取りやメモリセル３１１７への書き込みを行う。また、送受信部３０の送受信回路３０２で発生された高周波信号は、アンテナ３０１を介して高周波磁界として誘起される。この高周波磁界は、記憶素子３１１のアンテナ３１１３を介して吸収され、整流器３１１４で整流されてＩＣチップ３１１１内の各回路を駆動する直流電力源となる。
【００５３】
記憶素子３１１のメモリセル３１１７には、素子のシリアル番号など、記憶素子ごとに固有の情報、すなわちＩＤ情報が記録されている。このＩＤ情報データは、記憶素子の工場製造時において、書き込み処理されることとすればよい。このＩＤ情報をプリンタ１０本体側の送受信部３０で読み取ることによって、個々の記憶素子３１１〜３１６を識別することが可能になる。
【００５４】
また、記憶素子３１１のメモリセル３１１７には、ＩＤ情報以外に、当該記憶素子３１１が添付されるインクユニットＩＮＣ１の製造情報や、有効期限に関する情報などが含まれていてもよい。これらの情報をプリンタ１０本体側で読み取り、現在日時との比較処理などを実行することによって、インクユニットＩＮＣ１の有効期限終了が近づいたときに、ユーザに対して警告を出すことなども可能である。
【００５５】
また、メモリセル３１１７には、インクユニットＩＮＣ１のインク残量情報を書込むことができることとしてもよい。この残量情報をプリンタ１０本体側で読み取り、残量が僅かになったときにユーザに対して警告を出すことなども可能である。なお、各記憶素子３１１〜３１６には、上記の情報以外の情報が適宜含まれていてもよい。
【００５６】
＝＝＝インクジェットプリンタの内部構成＝＝＝
次に、図５を参照してカラーインクジェットプリンタ１０の内部構成について説明する。図５は、本実施の形態に係るプリンタ１０の内部構成を示した図である。
【００５７】
プリンタ１０は、図示するように、キャリッジ２０に搭載された印字ヘッドＩＨ１〜ＩＨ６を駆動してインクの吐出及びドット形成を行う機構と、このキャリッジ２０をキャリッジモータ２３によってプラテン２５の軸方向に往復動させる機構と、給紙トレイ１３１から供給されるカット紙１３３などの被印刷体を紙送りモータ４０によって搬送する機構と、制御回路５０とを有している。
【００５８】
キャリッジ２０をプラテン２５の軸方向に往復動させる機構は、プラテン２５の軸と並行に架設され、キャリッジ２０を摺動可能に保持する摺動軸２４と、キャリッジモータ２３との間に無端の駆動ベルト２１を張設するプーリ２９から構成されている。
【００５９】
被印刷体を搬送する機構は、プラテン２５と、給紙補助ローラ（図示せず）と、プラテン２５を回転させる紙送りモータ４０と、紙送りモータ４０の回転をプラテン２５などに伝えるギヤ機構４１と、プラテン２５の回転角度を検出するエンコーダ４２などを有している。また、プリンタ１０ケーシングなどの適宜な位置、キャリッジ２０の左側非印字領域には、送受信部３０が設けられている。
【００６０】
制御回路５０は、プリンタの操作パネル１１や送受信部３０、外部接続されるパーソナルコンピュータ等と信号をやり取りしつつ、紙送りモータ４０やキャリッジモータ２３、印字ヘッドＩＨ１〜ＩＨ６の動きを適切に制御する。給紙トレイ１３１から供給されるカット紙は、プラテン２５と給紙補助ローラの間に挟み込まれるようにセットされ、プラテン２５の回転角度に応じて所定量ずつ搬送される。
【００６１】
キャリッジ２０にはインクユニットＩＮＣ１〜ＩＮＣ６が装着される。各インクカートリッジＩＮＣ１〜６には、インク残量等を記憶する記憶素子３１１〜３１６が備えられている。インクカートリッジＩＮＣ１には黒（Ｋ）インクが収容され、インクカートリッジＩＮＣ２〜６にはそれぞれ、シアン（Ｃ）、マゼンタ（Ｍ）、イエロ（Ｙ）、ライトシアン（ＬＣ）、ライトマゼンタ（ＬＭ）が収容されている。
【００６２】
＝＝＝制御回路の内部構造＝＝＝
次に図６を参照してインクジェットプリンタの制御回路５０の内部構成について説明する。図６は、本実施の形態に係るインクジェットプリンタの制御回路５０の内部構成を示したブロック図である。
【００６３】
図示するように、制御回路５０の内部には、ＣＰＵ５１、ＰＲＯＭ５２、ＲＡＭ５３、周辺機器入出力部（ＰＩＯ）５４、タイマ５５、駆動バッファ５６等が設けられている。
【００６４】
ＰＩＯ５４には、操作パネル１１、パーソナルコンピュータＰＣ、キャリッジモータ２３、紙送りモータ４０、エンコーダ４２、及び送受信部３０が接続されている。駆動バッファ５６は、印字ヘッドＩＨ１〜ＩＨ６にドット形成のためのオン・オフ信号を供給するバッファとして使用される。これらは互いにバス５７で接続され、相互にデータのやり取りが可能となっている。また、制御回路５０には、所定周波数で駆動波形を出力する発振器５８、及び発振器５８からの出力を印字ヘッドＩＨ１〜ＩＨ６に所定のタイミングで分配する分配出力器５９も設けられている。
【００６５】
制御回路５０は、電源投入時などに、キャリッジ２０を、送受信部３０の設けられた左側非印字領域に移動させ、左端のインクユニットＩＮＣ１に設けられた記憶素子３１１から順次右端の記憶素子３１６までを読み取る。そして制御回路５０は、記憶素子３１１〜３１６からＩＤ情報を取得する。一旦全ての記憶素子３１１〜３１６からＩＤ情報を取得した後は、このＩＤ情報によって記憶素子（及びインクユニット）を識別しつつ、ＩＤ情報以外の情報読み取り、又は情報書き込み処理を行う。これらのＩＤ情報読み取り処理、及びＩＤ情報による識別を行いつつ実行する印刷処理の詳細ついては、後述する。
【００６６】
＝＝＝インクジェットプリンタの動作＝＝＝
次に、図７及び図８を参照して、インクジェットプリンタ１０の、記憶素子３１１〜３１６に対するアクセス動作について説明する。
【００６７】
図７は、電源投入時や、電源ＯＮの状態にてユーザが何れかのインクユニットを交換した際などに、送受信部３０が、記憶素子３１１〜３１６に記録されたＩＤ情報を読み取る際の、キャリッジ２０（及びインクユニットＩＮＣ１〜６）の動作シーケンスを示す図である。電源投入時以外における、ＩＤ情報読み取り動作実行を指示するコマンドは、パーソナルコンピュータＰＣの画面にてユーザがプリンタドライバソフトにより実行するか、又はプリンタ１０の操作パネル１１にて行うこととすればよい。
【００６８】
本実施形態の送受信部３０は、インクユニットＩＮＣ１〜６（及びその上に設けられた記憶素子３１１〜３１６）の記憶素子配設面ほぼ２つ分に対向する大きさであり、送受信部３０が、ある記憶素子とそれに隣接する記憶素子とのちょうど中央に位置するようにキャリッジ２０を停止させた場合は、それら両方の記憶素子とデータ送受信することが可能である。送受信部３０は、図の向かって左端、すなわち記憶素子３１１から右端の記憶素子３１６に向かって、順次ＩＤ情報の読み取りや書き込み動作を行う。
【００６９】
まず、送受信部３０がいずれの記憶素子３１１〜３１６にもアクセスしていない非アクセス状態（ｓ１００）では、キャリッジ２０は、送受信部３０が設けられている左側非印字領域よりも遠く右方に位置しており、いずれのインクユニットＩＮＣ１〜６の記憶素子３１１〜３１６ともアクセスすることはできない。
【００７０】
次に、インクユニットＩＮＣ１アクセス状態（ｓ１０１）では、キャリッジ２０が左側非印字領域まで移動して、左端のインクユニットＩＮＣ１のみと送受信部３０とがデータ送受信可能な位置に停止する。すなわち、送受信部３０のアンテナコイル３０１の右端付近が、記憶素子３１１の中央付近に対向するような位置であって、この位置では、送受信部３０は、インクユニットＩＮＣ２の記憶素子３１２とは遠すぎてデータ送受信することができないような位置である。この停止位置にて、まず記憶素子３１１に記録されたＩＤ情報を読み取る。
【００７１】
次に、キャリッジ２０をインクユニット１つ分左方に移動した所にて停止させ、インクユニットＩＮＣ２の記憶素子３１２のＩＤ情報読み取りを実行する（ｓ１０２）。この停止位置では、記憶素子３１１ともアクセス可能なので、データの混信を防ぐために、記憶素子３１２に対して送受信部３０から送信するＩＤ情報読み取りコマンドに、既に読み取った記憶素子３１１のＩＤ情報を随伴させる。この記憶素子３１１のＩＤ情報を用いて、記憶素子３１１及び３１２の側で識別を行うことにより、間違いなく記憶素子３１２からのＩＤ情報を読み取ることができる。
【００７２】
以降同様に、インクユニットＩＮＣ３〜６の記憶素子３１３〜３１６の読み取り動作を順次行う（ｓ１０３〜ｓ１０６）。記憶素子３１６のＩＤ情報を読み取った（ｓ１０６）後で、キャリッジ２０を右側非印字領域などの位置に戻し、本ＩＤ情報読み取りルーチンを終了する。以上で各記憶素子３１１〜３１６のＩＤ情報を全て取得したので、プリンタ１０本体側では、その配列について把握することができる。すなわち、最も左側には、記憶素子３１１から読み取ったＩＤ情報に相当するインクユニット（ＩＮＣ１）が配置されており、その右側に隣接する位置には記憶素子３１２から読み取ったＩＤ情報に相当するインクユニット（ＩＮＣ２）が配置されているといった様に、全インクユニットＩＮＣ１〜６のキャリッジ２０内における配列順番が記録されたことになる。
【００７３】
次に、上記各ステップで把握されたＩＤ情報とインクユニットＩＮＣ１〜６の配列順番との関係に関する情報を利用することによって、記憶素子３１１〜３１６に記録されているＩＤ情報以外の情報を送受信部３０から読み取る動作について説明する。図８は、送受信部３０が、記憶素子３１１〜３１６に記録されたＩＤ情報以外の情報を読み取る際の、キャリッジ２０（及びインクユニットＩＮＣ１〜６）の動作シーケンスを示す図である。
【００７４】
まず、送受信部３０がいずれの記憶素子３１１〜３１６にもアクセスしていない非アクセス状態（ｓ２００）では、キャリッジ２０は、送受信部３０が設けられている左側非印字領域よりも遠く右方に位置しており、いずれのインクユニットＩＮＣ１〜６の記憶素子３１１〜３１６ともアクセスすることはできない。
【００７５】
次に、インクユニットＩＮＣ１及びＩＮＣ２へのアクセス状態（ｓ２０１）では、キャリッジ２０が左側非印字領域まで移動し、左端のインクユニットＩＮＣ１とそれに隣接するインクユニットＩＮＣ２とに対して、送受信部３０がデータ送受信可能な位置に停止する。すなわち、送受信部３０のアンテナコイル３０１の中央付近が、記憶素子３１１と記憶素子３１２の間付近に対向するような位置であって、この位置では、送受信部３０は、インクユニットＩＮＣ１及びＩＣＮ２の両方の記憶素子３１１、３１２とデータ送受信することが可能である。
【００７６】
この停止位置にて、記憶素子３１１及び３１２に対し、それぞれデータ読み取りコマンドを送信する。その際、記憶素子３１１に対しては、既に読み取られた記憶素子３１１のＩＤ情報を随伴させる。このコマンドを受信した記憶素子３１１は、随伴されたＩＤ情報が確かに記憶素子３１１自身のＩＤ情報であることを確認した上で、要求されたＩＤ情報以外の情報を送受信部３０に送り返す。記憶素子３１２に対する読み取り処理も同様に行われる。
【００７７】
次に、キャリッジ２０をインクユニット２つ分左方に移動した所にて停止させ、インクユニットＩＮＣ３及びＩＮＣ４の記憶素子３１３、３１４に対し、データ読み取りを実行する（ｓ２０２）。この停止位置では、上記記憶素子３１１、３１２に対する読み取り処理と同様に、記憶素子３１３、３１４のＩＤ情報を用いてそれぞれの記憶素子３１３、３１４を確実に識別しつつ、それぞれのＩＤ情報以外の情報を読み取る。
【００７８】
同様に、キャリッジ２０をインクユニット２つ分左方に移動させて停止し、記憶素子３１５、３１６に記憶されたＩＤ情報以外の情報を読み取りを行った後、本ルーチンを終了する。
【００７９】
本実施形態のように、一度に２つの記憶素子に対してアクセスできる位置にキャリッジ２０を停止させつつ、ＩＤ情報以外の情報を読み取ることによって、キャリッジ２０の移動・位置決め動作が３回で済む。記憶素子１つ分ずつ移動・位置決めしつつ記憶素子に記憶された情報を１つずつ読み取ることも可能であるが、本実施形態はその半分の移動・位置決め動作で済むので、読み取り処理全体にかかる時間を短縮することができ、より好ましい。
【００８０】
なお、各記憶素子３１１〜３１６に対し、各インクユニットＩＮＣ１〜６のインク残量などの情報を、送受信部３０を介して随時書込むことも可能である。その場合の動作もＩＤ情報以外の情報の読み取り処理と同様に、既に読み取った各記憶素子３１１〜３１６のＩＤ情報を用いて各記憶素子を確実に識別しつつ行うことができる。
【００８１】
＝＝＝その他の実施形態＝＝＝
以上、いくつかの実施の形態に基づき本発明に係る印刷装置等を説明してきたが、上記した発明の実施の形態は、本発明の理解を容易にするためのものであり、本発明を限定するものではない。本発明は、その趣旨を逸脱することなく、変更、改良され得ると共に、本発明にはその等価物が含まれることはもちろんである。
【００８２】
また、コンピュータ本体と、このコンピュータ本体に接続される表示装置と、前記コンピュータ本体に接続される前述の実施形態に係る印刷装置と、必要に応じて備えられるマウスやキーボード等の入力装置、フレキシブルディスクドライブ装置、及び、ＣＤ−ＲＯＭドライブ装置を有するコンピュータシステムも実現可能であり、このようにして実現されたコンピュータシステムは、システム全体として従来システムよりも優れたシステムとなる。
【００８３】
また、前述の実施形態に係る印刷装置に、コンピュータ本体、表示装置、入力装置、フレキシブルディスクドライブ装置、及び、ＣＤ−ＲＯＭドライブ装置がそれぞれ有する機能又は機構の一部を持たせてもよい。例えば、プリンタが、画像処理を行う画像処理部、各種の表示を行う表示部、及び、デジタルカメラ等により撮影された画像データを記録した記録メディアを着脱するための記録メディア着脱部を備える構成としてもよい。
【００８４】
上記各実施の形態では、印刷装置として、カット紙を被印刷体とするインクジェットプリンタ１０を用いたが、被印刷体はロール紙などカット紙以外のものでもよく、これらの被印刷体に対して印刷処理できる印刷装置であれば、カラーインクジェットプリンタに限られることなく、例えば、モノクロプリンタ、レーザプリンタ、ファクシミリ等に適用しても良い。
【００８５】
また、上記各実施に形態においては、記憶素子として、非接触ＩＣチップと、金属皮膜をエッチングして形成された共振用コンデンサ及び平面状アンテナコイルを備えたものを用いたが、情報を記憶可能な構成であれば、このような構成に限定されるものではない。例えば共振用コンデンサは記憶素子の外部に接続されていてもよいし、ＩＣチップとアンテナコイルが一体的でなく離れた場所にそれぞれ位置しつつ接続されている構成など様々な変形が考えられる。
【図面の簡単な説明】
【００８６】
【図１】インクジェットプリンタの外観を概略的に示す図である。
【図２】インクジェットプリンタのキャリッジ周辺の構成を示した斜視図である。
【図３】記憶素子とプリンタ本体側に設けられる送受信部との位置関係を分かりやすく示した模式図である。（ａ）は、手前側から見た斜視図、（ｂ）は、真上から見た平面図である。
【図４】（ａ）は記憶素子の構成を示す平面透視図、（ｂ）は記憶素子及び読み取りセンサの内部構成を示すブロック図である。
【図５】インクジェットプリンタの内部構成を示した図である。
【図６】インクジェットプリンタの制御回路の内部構成を示したブロック図である。
【図７】送受信部が記憶素子のＩＤ情報を読み取る際の、キャリッジの動作シーケンスを示す図である。
【図８】送受信部が、記憶素子に記録されたＩＤ情報以外の情報を読み取る際の、キャリッジの動作シーケンスを示す図である。
【符号の説明】
【００８７】
１０  プリンタ本体                  １１  操作パネル
１２  排紙部                        ２０  キャリッジ
２１  駆動ベルト                    ２２  プーリ
２３  キャリッジモータ            ２４  摺動軸
２５  プラテン                      ２６  キャッピング装置
２７  ポンプユニット                ３０  送受信部
４０  紙送りモータ                  ４１  ギヤ機構
４２  エンコーダ                    ５０  制御回路
５１  ＣＰＵ                        ５２  ＰＲＯＭ
５３  ＲＡＭ                        ５４  周辺機器入出力部（ＰＩＯ）
５５  タイマ                        ５６  駆動バッファ
５７  バス                          ５８  発振器
５９  分配出力器                    １１１  操作ボタン
１１２  表示ランプ                  ２６１、２６２  キャップ
３０１  コイルアンテナ              ３０２  送受信回路
３１１〜３１６  記憶素子            ３１１１  ＩＣチップ
３１１２  共振用コンデンサ          ３１１３  アンテナコイル
３１１４  整流器                    ３１１５  信号解析部
３１１６  制御部                    ３１１７  メモリセル
ＰＣ  パーソナルコンピュータ
ＩＮＣ１〜ＩＮＣ６  インクカートリッジ
ＩＨ１〜ＩＨ６  印字ヘッド
【図１】
2006205743.tif 000003
【図２】
2006205743.tif 000004
【図３】
2006205743.tif 000005
【図４】
2006205743.tif 000006
【図５】
2006205743.tif 000007
【図６】
2006205743.tif 000008
【図７】
2006205743.tif 000009
【図８】
2006205743.tif 000010